(57)【要約】【課題】バックライトアセンブリ及びそれを含む表示装置を提供すること。【解決手段】バックライトアセンブリは、第１導光板、第２導光板、光源部、及び蓋部を含む。前記第２導光板は前記第１導光板から離隔して配置される。前記光源部は前記第１導光板と前記第２導光板との間に配置される。前記光源部は第１光源及び第２光源を含む。前記第１光源は、前記第１導光板に対向して配置される。前記第２光源は前記第２導光板に対向して配置される。前記蓋部は前記光源部の上部に配置される。前記蓋部は前記第１導光板の一部及び前記第２導光板の一部とオーバーラップする。これにより、表示装置のベゼル幅及び厚さを減少させることができる。【選択図】図２
2013041817.tif 000002
【特許請求の範囲】
【請求項１】
第１導光板と、
前記第１導光板から離隔して配置される第２導光板と、
前記第１導光板と前記第２導光板との間に配置され、前記第１導光板に対向して配置される第１光源及び前記第２導光板に対向して配置される第２光源を含む光源部と、
前記光源部の上部に配置され、前記第１導光板の一部及び前記第２導光板の一部とオーバーラップする蓋部と、を含むことを特徴とするバックライトアセンブリ。
【請求項２】
前記第１導光板の上面は、第１高さを有する第１部分、及び、前記第１光源と隣接して前記第１高さより低い第２高さを有する第２部分を含み、
前記第２導光板の上面は前記第１高さを有する第１部分、及び、前記第２光源と隣接して前記第１高さより低い前記第２高さを有する第２部分を含むことを特徴とする請求項１に記載のバックライトアセンブリ。
【請求項３】
前記第１導光板の前記第２部分は、前記第１光源に近づくほど高さが徐々に低くなる傾斜部を含み、
前記第２導光板の前記第２部分は前記第２光源に近づくほど高さが徐々に低くなる傾斜部を含むことを特徴とする請求項２に記載のバックライトアセンブリ。
【請求項４】
前記蓋部の上面の高さは前記第１高さより小さいか、または、同じであることを特徴とする請求項２に記載のバックライトアセンブリ。
【請求項５】
前記蓋部の上面の第１方向の幅は、前記第１導光板の前記第１部分と前記第２部分との境界と、前記第２導光板の前記第１部分と前記第２部分との境界との間の前記第１方向の距離より小さいか、または、同じであることを特徴とする請求項２に記載のバックライトアセンブリ。
【請求項６】
前記蓋部の側面は、前記第１導光板の前記第２部分及び前記第２導光板の前記第２部分に対応する形状を有することを特徴とする請求項２に記載のバックライトアセンブリ。
【請求項７】
前記蓋部の側面は、前記第１導光板の前記傾斜部に対応する第１傾斜部、及び、前記第２導光板の前記傾斜部に対応する第２傾斜部を含むことを特徴とする請求項３に記載のバックライトアセンブリ。
【請求項８】
前記光源部と前記蓋部との間に配置され、プリントパターンを含むプリントシートをさらに含むことを特徴とする請求項１に記載のバックライトアセンブリ。
【請求項９】
前記プリントパターンは、前記第１光源及び第２光源から遠ざかるほど大きさ、または、密度が減少することを特徴とする請求項８に記載のバックライトアセンブリ。
【請求項１０】
前記プリントパターンは、前記第１光源及び第２光源に隣接して配置され、第１明度を有する第１パターン、並びに、前記第１光源及び第２光源から前記第１パターンより遠く配置されて第２明度を有する第２パターンを含むことを特徴とする請求項８に記載のバックライトアセンブリ。
【請求項１１】
前記第１明度は前記第２明度より低いことを特徴とする請求項１０に記載のバックライトアセンブリ。
【請求項１２】
前記第１パターンは灰色であり、前記第２パターンは白色であることを特徴とする請求項１１に記載のバックライトアセンブリ。
【請求項１３】
前記蓋部上に配置され、プリントパターンを含むプリントシートをさらに含むことを特徴とする請求項１に記載のバックライトアセンブリ。
【請求項１４】
前記プリントパターンは、前記第１光源及び第２光源から遠ざかるほど大きさ、または、密度が減少することを特徴とする請求項１３に記載のバックライトアセンブリ。
【請求項１５】
前記プリントパターンは、前記第１光源及び第２光源に隣接して配置され、第１明度を有する第１パターン、並びに、前記第１光源及び第２光源から前記第１パターンより遠く配置されて第２明度を有する第２パターンを含むことを特徴とする請求項１３に記載のバックライトアセンブリ。
【請求項１６】
前記第１明度は、前記第２明度より低いことを特徴とする請求項１５に記載のバックライトアセンブリ。
【請求項１７】
前記第１パターンは灰色であり、前記第２パターンは白色であることを特徴とする請求項１６に記載のバックライトアセンブリ。
【請求項１８】
前記光源部と前記蓋部との間に配置されて、第１プリントパターンを含む第１プリントシート、及び、前記蓋部上に配置されて第２プリントパターンを含む第２プリントシートをさらに含むことを特徴とする請求項１に記載のバックライトアセンブリ。
【請求項１９】
前記第１プリントパターン及び第２プリントパターンは、前記第１光源及び第２光源から遠ざかるほど大きさ、または、密度が減少することを特徴とする請求項１８に記載のバックライトアセンブリ。
【請求項２０】
前記第１プリントパターンは灰色パターン及び白色パターンを含み、前記第２プリントパターンは白色であることを特徴とする請求項１８に記載のバックライトアセンブリ。
【請求項２１】
前記蓋部は光拡散材を含むことを特徴とする請求項１に記載のバックライトアセンブリ。
【請求項２２】
前記蓋部の表面には、凹凸パターンが形成されることを特徴とする請求項１に記載のバックライトアセンブリ。
【請求項２３】
前記第１光源は、第１列に配置される複数の第１点光源を含み、前記第２光源は、前記第１列と平行した第２列に配置される複数の第２点光源を含むことを特徴とする請求項１に記載のバックライトアセンブリ。
【請求項２４】
前記第１点光源及び前記第２点光源は、互いに対向して配置されることを特徴とする請求項２３に記載のバックライトアセンブリ。
【請求項２５】
前記第１点光源及び前記第２点光源は、互い違いに配置されることを特徴とする請求項２３に記載のバックライトアセンブリ。
【請求項２６】
前記光源部は、前記第１光源及び前記第２光源が固定されるプリント回路基板をさらに含み、
前記プリント回路基板は第１締結部を含み、
前記蓋部は第２締結部を含み、
前記蓋部は前記第１締結部及び第２締結部によって前記光源部に固定されることを特徴とする請求項１に記載のバックライトアセンブリ。
【請求項２７】
前記第１締結部はホールであり、
前記第２締結部は前記蓋部から前記プリント回路基板に延びる突出部であり、
前記第１締結部及び前記第２締結部は、スクリューによって結合されることを特徴とする請求項２６に記載のバックライトアセンブリ。
【請求項２８】
画像を表示する表示パネルと、
前記表示パネルの下部に配置され、第１導光板、前記第１導光板から離隔されて配置される第２導光板、前記表示パネルの中心部に対応して前記第１導光板と前記第２導光板との間に配置され、前記第１導光板に対向して配置される第１光源、及び、前記第２導光板に対向して配置される第２光源を含む光源部、並びに、前記光源部の上部に配置され、前記第１導光板の一部及び前記第２導光板の一部とオーバーラップする蓋部を含むバックライトアセンブリを含む表示装置。
【請求項２９】
前記第１導光板の上面は第１高さを有する第１部分及び前記第１光源と隣接して前記第１高さより低い第２高さを有する第２部分を含み、
前記第２導光板の上面は前記第１高さを有する第１部分及び前記第２光源と隣接して前記第１高さより低い前記第２高さを有する第２部分を含むことを特徴とする請求項２８に記載の表示装置。
【請求項３０】
前記第１導光板の前記第２部分は、前記第１光源に近づくほど高さが徐々に低くなる傾斜部を含み、
前記第２導光板の前記第２部分は、前記第２光源に近づくほど高さが徐々に低くなる傾斜部を含むことを特徴とする請求項２９に記載の表示装置。
【請求項３１】
前記蓋部の上面の高さは前記第１高さより小さいか、または、同じであることを特徴とする請求項２９に記載の表示装置。
【請求項３２】
前記蓋部の上面の第１方向の幅は、前記第１導光板の前記第１部分と前記第２部分との境界と、前記第２導光板の前記第１部分と前記第２部分との境界との間の前記第１方向の距離より小さいか、または、同じであることを特徴とする請求項２９に記載の表示装置。
【請求項３３】
前記蓋部の側面は、前記第１導光板の前記第２部分及び前記第２導光板の前記第２部分に対応する形状を有することを特徴とする請求項２９に記載の表示装置。
【請求項３４】
前記蓋部の側面は、前記第１導光板の前記傾斜部に対応する第１傾斜部及び前記第２導光板の前記傾斜部に対応する第２傾斜部を含むことを特徴とする請求項３０に記載の表示装置。
【請求項３５】
前記バックライトアセンブリは、前記光源部と前記蓋部との間に配置され、プリントパターンを含むプリントシートをさらに含むことを特徴とする請求項２８に記載の表示装置。
【請求項３６】
前記プリントパターンは、前記第１光源及び第２光源から遠ざかるほど大きさ、または、密度が減少することを特徴とする請求項３５に記載の表示装置。
【請求項３７】
前記バックライトアセンブリは、前記蓋部上に配置され、プリントパターンを含むプリントシートをさらに含むことを特徴とする請求項２８に記載の表示装置。
【請求項３８】
前記プリントパターンは、前記第１光源及び第２光源から遠ざかるほど大きさ、または、密度が減少することを特徴とする請求項３７に記載の表示装置。
【請求項３９】
前記バックライトアセンブリは、前記光源部と前記蓋部との間に配置され、第１プリントパターンを含む第１プリントシート、及び、前記蓋部上に配置されて第２プリントパターンを含む第２プリントシートをさらに含むことを特徴とする請求項２８に記載の表示装置。
【請求項４０】
前記第１プリントパターン及び第２プリントパターンは、前記第１光源及び第２光源から遠ざかるほど大きさ、または、密度が減少することを特徴とする請求項３９に記載の表示装置。
【請求項４１】
第１導光板と、
前記第１導光板から離隔して配置される第２導光板と、
前記第１導光板と前記第２導光板との間に配置される光源部と、
前記光源部の上部に配置され、前記第１導光板の一部及び前記第２導光板の一部とオーバーラップする蓋部と、を含み、
前記蓋部は前記光源部の光を拡散させることを特徴とするバックライトアセンブリ。
【請求項４２】
前記蓋部は、前記第１導光板の一部分及び前記第２導光板の一部分によって形成される凹部内に配置されることを特徴とする請求項４１に記載のバックライトアセンブリ。
【請求項４３】
前記蓋部の上面は、前記第１及び第２導光板の上面と同一であるか、または、低い高さを有することを特徴とする請求項４１に記載のバックライトアセンブリ。
【請求項４４】
前記光源部上に配置されて光を吸収または反射するパターンを有するシートをさらに含むことを特徴とする請求項４１に記載のバックライトアセンブリ。
【請求項４５】
前記シートは、前記蓋部と前記光源部との間に配置されることを特徴とする請求項４４に記載のバックライトアセンブリ。
【請求項４６】
前記シートは、前記蓋部の上面上に配置されることを特徴とする請求項４４に記載のバックライトアセンブリ。
【発明の詳細な説明】
【技術分野】
【０００１】
本発明は、バックライトアセンブリ及びそれを含む表示装置に関し、表示装置のベゼル幅及び厚さを減少させることのできるバックライトアセンブリ及びそれを含む表示装置に関する
【背景技術】
【０００２】
一般的に、液晶表示装置は薄型且つ軽量であり、消費電力が少ないといった長所があって、モニター、ノートパソコン、携帯電話、テレビなどに使用される。液晶表示装置は、液晶の光透過率を利用して画像を表示する液晶表示パネル及び液晶表示パネルの下部に配置されて液晶表示パネルに光を供給するバックライトアセンブリを含む。
【０００３】
バックライトアセンブリは、液晶表示パネルに画像を表示するのに必要な光を発生させる光源を含む。例えば、光源は冷陰極蛍光ランプ（ｃｏｌｄ  ｃａｔｈｏｄｅ  ｆｌｕｏｒｅｓｃｅｎｔ  ｌａｍｐ；ＣＣＦＬ）、外部電極蛍光ランプ（ｅｘｔｅｒｎａｌ  ｅｌｅｃｔｒｏｄｅ  ｆｌｕｏｒｅｓｃｅｎｔ  ｌａｍｐ；ＥＥＦＬ）、平板蛍光ランプ（ｆｌａｔ  ｆｌｕｏｒｅｓｃｅｎｔ  ｌａｍｐ；ＦＦＬ）、発光ダイオード（ｌｉｇｈｔ  ｅｍｉｔｔｉｎｇ  ｄｉｏｄｅ；ＬＥＤ）であってもよい。
【０００４】
バックライトアセンブリは、直下型及びエッジ型に区分することができる。バックライトアセンブリが直下型の場合、光源は液晶表示パネルの下部において、液晶表示パネルの全面積に対応して形成される。従って、前記液晶表示装置のベゼル幅は相対的に小さく形成することができる。しかし、液晶表示装置の厚さが増加する問題がある。
【０００５】
バックライトアセンブリがエッジ型の場合、光源は液晶表示パネルの下部において、液晶表示パネルの端部の領域に対応して形成される。従って、液晶表示装置の厚さは相対的に小さく形成することができる。しかし、前記液晶表示装置のベゼル幅が増加する問題がある。
【先行技術文献】
【特許文献】
【０００６】
【特許文献１】特開２００９−１８６５２５号公報
【特許文献２】特開２０１０−２７７７１２号公報
【特許文献３】米国特許出願公開２００８／０１０１０６８号明細書
【特許文献４】米国特許出願公開２００７／０１６５４１９号明細書
【発明の概要】
【発明が解決しようとする課題】
【０００７】
本発明の目的は、上記のような問題に鑑みてなされたものであって、光源部を表示パネルの中心部に配置して表示装置のベゼル幅及び厚さを減少させることのできるバックライトアセンブリを提供することにある。
【０００８】
本発明の他の目的は、バックライトアセンブリを含む表示装置を提供することにある。
【課題を解決するための手段】
【０００９】
上述した本発明の目的を具現するための一実施形態に係るバックライトアセンブリは、第１導光板、第２導光板、光源部、及び蓋部を含む。第２導光板は第１導光板から離隔して配置される。光源部は、第１導光板と第２導光板との間に配置される。光源部は第１光源及び第２光源を含む。第１光源は第１導光板に対向して配置される。第２光源は第２導光板に対向して配置される。蓋部は光源部の上部に配置される。蓋部は第１導光板の一部及び第２導光板の一部とオーバーラップする。
【００１０】
本発明の一実施形態において、第１導光板の上面は、第１高さを有する第１部分及び第１光源と隣接して第１高さより低い第２高さを有する第２部分を含んでもよい。第２導光板の上面は、第１高さを有する第１部分及び第２光源と隣接して第１高さより低い第２高さを有する第２部分を含んでもよい。
【００１１】
本発明の一実施形態において、第１導光板の第２部分は第１光源に近づくほど高さが徐々に低くなる傾斜部を含んでもよい。第２導光板の第２部分は、第２光源に近づくほど高さが徐々に低くなる傾斜部を含んでもよい。
【００１２】
本発明の一実施形態において、蓋部の上面の高さは第１高さより小さいか、または、同じであってもよい。
【００１３】
本発明の一実施形態において、蓋部の上面の第１方向の幅は第１導光板の第１部分と第２部分との境界と、第２導光板の第１部分と第２部分との境界との間の第１方向の距離より小さいか、または、同じであってもよい。
【００１４】
本発明の一実施形態において、蓋部の側面は、第１導光板の第２部分及び第２導光板の第２部分に対応する形状を有してもよい。
【００１５】
本発明の一実施形態において、蓋部の側面は、第１導光板の傾斜部に対応する第１傾斜部、及び、第２導光板の傾斜部に対応する第２傾斜部を含んでもよい。
【００１６】
本発明の一実施形態において、バックライトアセンブリは、光源部と蓋部との間に配置され、プリントパターンを含むプリントシートをさらに含んでもよい。
【００１７】
本発明の一実施形態において、プリントパターンは、第１光源及び第２光源から遠くなるほど、大きさ、または、密度が減少してもよい。
【００１８】
本発明の一実施形態において、プリントパターンは、第１光源及び第２光源に隣接して配置され、第１明度を有する第１パターン、並びに、第１光源及び第２光源から第１パターンより遠く配置されて第２明度を有する第２パターンを含んでもよい。
【００１９】
本発明の一実施形態において、第１明度は第２明度より低くてもよい。
【００２０】
本発明の一実施形態において、第１パターンは灰色であってもよい。第２パターンは白色であってもよい。
【００２１】
本発明の一実施形態において、バックライトアセンブリは、蓋部上に配置され、プリントパターンを含むプリントシートをさらに含んでもよい。
【００２２】
本発明の一実施形態において、プリントパターンは第１光源及び第２光源から遠ざかるほど、大きさ、または、密度が減少してもよい。
【００２３】
本発明の一実施形態において、プリントパターンは、第１光源及び第２光源に隣接して配置され、第１明度を有する第１パターン、並びに、第１光源及び第２光源から第１パターンより遠く配置され第２明度を有する第２パターンを含んでもよい。
【００２４】
本発明の一実施形態において、第１明度は第２明度より低くてもよい。
【００２５】
本発明の一実施形態において、第１パターンは灰色であってもよい。第２パターンは白色であってもよい。
【００２６】
本発明の一実施形態において、バックライトアセンブリは、光源部と蓋部との間に配置され、第１プリントパターンを含む第１プリントシート及び蓋部上に配置されて第２プリントパターンを含む第２プリントシートをさらに含んでもよい。
【００２７】
本発明の一実施形態において、第１プリントパターン及び第２プリントパターンは、第１光源及び第２光源から遠ざかるほど大きさ、または、密度が減少してもよい。
【００２８】
本発明の一実施形態において、第１プリントパターンは、灰色パターン及び白色パターンを含んでもよい。第２プリントパターンは白色であってもよい。
【００２９】
本発明の一実施形態において、蓋部は光拡散材を含んでもよい。
【００３０】
本発明の一実施形態において、蓋部の表面には凹凸パターンが形成されてもよい。
【００３１】
本発明の一実施形態において、第１光源は第１列に配置される複数の第１点光源を含んでもよい。第２光源は第１列と平行する第２列に配置される複数の第２点光源を含んでもよい。
【００３２】
本発明の一実施形態において、第１点光源及び第２点光源は互いに対向して配置してもよい。
【００３３】
本発明の一実施形態において、第１点光源及び第２点光源は互い違いに配置してもよい。
【００３４】
本発明の一実施形態において、光源部は、第１光源及び第２光源が固定されるプリント回路基板をさらに含んでもよい。プリント回路基板は第１締結部を含んでもよい。蓋部は第２締結部を含んでもよい。蓋部は第１締結部及び第２締結部によって光源部に固定されてもよい。
【００３５】
本発明の一実施形態において、第１締結部は、ホールであってもよい。第２締結部は蓋部からプリント回路基板に延びる突出部であってもよい。第１及び第２締結部は、スクリューによって結合してもよい。
【００３６】
上述した本発明の他の目的を具現するための一実施形態に係る表示装置は、表示パネル及びバックライトアセンブリを含む。バックライトアセンブリは、表示パネルの下部に配置される。バックライトアセンブリは、第１導光板、第２導光板、光源部及び蓋部を含む。第２導光板は第１導光板から離隔されて配置される。光源部は表示パネルの中心部に対応して第１導光板と第２導光板との間に配置される。光源部は第１導光板に対向して配置される第１光源及び第２導光板に対向して配置される第２光源を含む。蓋部は光源部の上部に配置される。蓋部は第１導光板の一部及び第２導光板の一部とオーバーラップする。
【００３７】
本発明の一実施形態において、第１導光板の上面は、第１高さを有する第１部分、及び、第１光源と隣接して第１高さより低い第２高さを有する第２部分を含んでもよい。第２導光板の上面は第１高さを有する第１部分及び第２光源と隣接して第１高さより低い第２高さを有する第２部分を含んでもよい。
【００３８】
本発明の一実施形態において、第１導光板の第２部分は第１光源に近づくほど高さが徐々に低くなる傾斜部を含んでもよい。第２導光板の第２部分は、第２光源に近づくほど高さが徐々に低くなる傾斜部を含んでもよい。
【００３９】
本発明の一実施形態において、蓋部の上面の高さは第１高さより小さいか、または、同じであってもよい。
【００４０】
本発明の一実施形態において、蓋部の上面の第１方向の幅は第１導光板の第１部分と第２部分の境界と、第２導光板の第１部分と第２部分との境界との間の第１方向の距離より小さいか、または、同じであってもよい。
【００４１】
本発明の一実施形態において、蓋部の側面は第１導光板の第２部分及び第２導光板の第２部分に対応する形状を有してもよい。
【００４２】
本発明の一実施形態において、蓋部の側面は第１導光板の傾斜部に対応する第１傾斜部及び第２導光板の傾斜部に対応する第２傾斜部を含んでもよい。
【００４３】
本発明の一実施形態において、バックライトアセンブリは光源部と蓋部との間に配置され、プリントパターンを含むプリントシートをさらに含んでもよい。
【００４４】
本発明の一実施形態において、プリントパターンは、第１光源及び第２光源から遠ざかるほど大きさ、または、密度が減少してもよい。
【００４５】
本発明の一実施形態において、バックライトアセンブリは蓋部上に配置され、プリントパターンを含むプリントシートをさらに含んでもよい。
【００４６】
本発明の一実施形態において、プリントパターンは第１光源及び第２光源から遠ざかるほど大きさ、または、密度が減少してもよい。
【００４７】
本発明の一実施形態において、バックライトアセンブリは光源部と蓋部との間に配置され、第１プリントパターンを含む第１プリントシート、及び、蓋部上に配置されて第２プリントパターンを含む第２プリントシートをさらに含んでもよい。
【００４８】
本発明の一実施形態において、第１プリントパターン及び第２プリントパターンは、第１光源及び第２光源から遠ざかるほど大きさ、または、密度が減少してもよい。
【発明の効果】
【００４９】
このようなバックライトアセンブリ及びそれを含む表示装置によれば、光源部を表示パネルの中心部に配置して表示装置のベゼル幅及び厚さを減少させることができる。
【００５０】
また、光源部の上部に光源部の光を拡散させる蓋部を配置し、光源部と導光板との間の光漏れを防止し、表示パネルの輝度均一性を向上させることができる。
【００５１】
また、光源部の上部に光源部の光を反射及び吸収するプリントシートを配置して、表示パネルの輝度均一性を向上させることができる。
【図面の簡単な説明】
【００５２】
【図１】本発明の一実施形態に係る表示装置を示す分解斜視図である。
【図２】図１のバックライトアセンブリの分解斜視図である。
【図３】第１方向に沿って切断した図１のバックライトアセンブリの断面図である。
【図４】本発明の他の実施形態に係るバックライトアセンブリの分解斜視図である。
【図５】第１方向に沿って切断した図４のバックライトアセンブリの断面図である。
【図６】図４のプリントシートの一部分を示す平面図である。
【図７】本発明のまた他の実施形態に係るプリントシートの一部分を示す平面図である。
【図８】本発明のまた他の実施形態に係るバックライトアセンブリの分解斜視図である。
【図９】第１方向に沿って切断した図８のバックライトアセンブリの断面図である。
【図１０】本発明のまた他の実施形態に係るバックライトアセンブリの分解斜視図である。
【図１１】第１方向に沿って切断した図１０のバックライトアセンブリの断面図である。
【図１２】本発明のまた他の実施形態に係るバックライトアセンブリの分解斜視図である。
【図１３】第１方向に沿って切断した図１２のバックライトアセンブリの断面図である。
【図１４】第１方向に沿って切断した図１２のバックライトアセンブリの断面図である。
【図１５】図１２のバックライトアセンブリに採用されるプリントシートの一部分を示す平面図である。
【図１６】本発明のまた他の実施形態に係るプリントシートの一部分を示す平面図である。
【発明を実施するための最良の形態】
【００５３】
図１は本発明の一実施形態に係る表示装置を示す分解斜視図である。
【００５４】
図１を参照すると、表示装置は、表示パネル１００、光学シート部２００、拡散板３００、バックライトアセンブリ４００、及び収納容器５００を含む。
【００５５】
表示パネル１００は画像を表示する。表示パネル１００は第１基板１１０、第２基板１２０、液晶層（図示せず）、ゲート駆動部１３０、データ駆動部１４０を含む。
【００５６】
第１基板１１０は、トランジスタが形成されている薄膜トランジスタ基板であってもよい。第２基板１２０は第１基板１１０と向かい合うように配置される。第２基板１２０はカラーフィルタが形成されているカラーフィルタ基板であってもよい。液晶層（図示せず）は第１基板１１０と第２基板１２０との間に配置される。
【００５７】
ゲート駆動部１３０及びデータ駆動部１４０は、第１基板１１０に接続され、第１基板１１０に駆動信号を出力する。ゲート駆動部１３０及びデータ駆動部１４０は、各々フレキシブルプリント回路基板（ｆｌｅｘｉｂｌｅ  ｐｒｉｎｔｅｄ  ｃｉｒｃｕｉｔ；ＦＰＣ）、フレキシブルプリント回路基板に装着されている駆動チップ、及びフレキシブルプリント回路基板の一側に接続されているプリント回路基板（ｐｒｉｎｔｅｄ  ｃｉｒｃｕｉｔ  ｂｏａｒｄ；ＰＣＢ）を含んでもよい。
【００５８】
例えば、表示パネル１００は長辺及び短辺を有する長方形状であってもよい。例えば、表示パネル１００の長辺は第１方向Ｄ１と実質的に平行するものであってもよく、表示パネル１００の短辺は第１方向Ｄ１と交差する第２方向Ｄ２と実質的に平行するものであってもよい。
【００５９】
光学シート部２００は、複数のシートを含んでもよい。光学シート部２００は高輝度偏光シート（ｄｕａｌ  ｂｒｉｇｈｔｎｅｓｓ  ｅｎｈａｎｃｅｍｅｎｔ  ｆｉｌｍ；ＤＢＥＦ）２１０、プリズムシート２２０、拡散シート２３０などを含んでもよい。
【００６０】
高輝度偏光シート２１０はプリズムシート２２０の上部に配置されてプリズムシート２２０を通過した光の輝度を向上させる。
【００６１】
プリズムシート２２０は上部面に三角柱形の複数のプリズムが一定の間隔で配列されてもよい。プリズムシート２２０は拡散シート２３０から拡散した光を上部の表示パネル１００の平面に対して垂直な方向に集光する。光学シート部２００は、高輝度偏光シート２１０とプリズムシート２２０との間に、スクラッチ（scratch）のような損傷からプリズムシート２２０を保護する保護シート（図示せず）をさらに含んでもよい。例えば、プリズムシート２２０は複数個形成されてもよい。
【００６２】
拡散シート２３０は、ベース基板と、ベース基板に形成された、球形のビーズを含むコーティング層とを含む。拡散シート２３０は、拡散板３００を通過した光を拡散させて輝度を均一にする。例えば、拡散シート２３０は複数個形成されてもよい。
【００６３】
図示していないが、光学シート部２００はまた他のシートをさらに含んでもよく、シートのうち、一部を省略してもよい。
【００６４】
拡散板３００は、バックライトアセンブリ４００から供給される光を拡散して光学シート部２００に伝達する。
【００６５】
バックライトアセンブリ４００は、光源部４１０、導光板４２０、及び蓋部（cover part）４３０を含む。
【００６６】
光源部４１０は、表示パネル１００の第１方向Ｄ１の中心部に対応する位置に配置される。光源部４１０は複数の点光源を含んでもよい。光源部４１０は光を生成して導光板４２０に出力する。
【００６７】
本実施形態において、光源部４１０は、第１方向Ｄ１の中心部に対応する位置に配置されることを図示して説明したが、光源部４１０は第２方向Ｄ２の中心部に対応する位置に配置してもよい。
【００６８】
導光板４２０は、第１導光板４２１及び第１導光板４２１から離隔されて配置される第２導光板４２２を含む。例えば、第１導光板４２１は光源部４１０の一側に配置され、第２導光板４２２は光源部４１０の他側に配置される。第１導光板４２１及び第２導光板４２２は、光源部４１０で発生した光を表示パネル１００に導く。
【００６９】
蓋部４３０は光源部４１０の上部に配置される。蓋部４３０は第１導光板４２１の一部とオーバーラップしてもよい。蓋部４３０は第２導光板４２２の一部とオーバーラップしてもよい。
【００７０】
光源部４１０、導光板４２０及び蓋部４３０については図２及び図３を参照して詳しく後述する。
【００７１】
図示していないが、バックライトアセンブリ４００は光源部４１０を駆動するための光源駆動部をさらに含んでもよい。光源駆動部は収納容器５００の底板の下面と向かい合うように配置してもよい。
【００７２】
収納容器５００はバックライトアセンブリ４００の下部に配置され、表示パネル１００、光学シート部２００、拡散板３００及びバックライトアセンブリ４００を収納する。
【００７３】
収納容器５００は、底板５１０及び底板５１０から延びる側壁部５２０を含む。
【００７４】
図示していないが、表示装置はバックライトアセンブリ４００と収納容器５００との間に配置される反射板をさらに含んでもよい。
【００７５】
図示していないが、表示装置は表示パネル１００上に形成され、収納容器５００と結合するトップシャーシ及び表示装置の結合性を向上させるモールドフレームをさらに含んでもよい。
【００７６】
図２は図１のバックライトアセンブリ４００の分解斜視図である。図３は第１方向Ｄ１に沿って切断した図１のバックライトアセンブリ４００の断面図である。
【００７７】
図１〜図３を参照すると、バックライトアセンブリ４００は光源部４１０、第１導光板４２１、第２導光板４２２及び蓋部４３０を含む。
【００７８】
光源部４１０は、プリント回路基板４１１、複数の光源４１２、及び第１締結部４１３を含む。
【００７９】
プリント回路基板４１１には光源４１２が固定され、プリント回路基板４１１は光源４１２に駆動信号を伝達するための配線を含む。図示していないが、プリント回路基板４１１は光源駆動部（図示せず）と接続されてもよい。
【００８０】
光源部４１０は第１光源及び第２光源を含む。第１光源は第１導光板４２１と隣接して配置される。第１光源は光を生成して第１導光板４２１に光を供給する。第２光源は第２導光板４２２と隣接して配置される。第２光源は光を生成して第２導光板４２２に光を供給する。
【００８１】
光源４１２は複数の列に配置される。例えば、光源４１２は２列に配置してもよい。光源４１２は第２方向Ｄ２に沿って複数の列に配置してもよい。第１光源は第１列に配置されることができ、第２光源は第１列と平行した第２列に配置してもよい。光源４１２はプリント回路基板４１１に対して垂直な方向に配置してもよい。
【００８２】
第１光源は複数の第１点光源を含んでもよい。第２光源は複数の第２点光源を含んでもよい。第１点光源及び第２点光源は互いに対向して配置される。
【００８３】
第１締結部４１３はプリント回路基板４１１上に配置される。第１締結部４１３は蓋部４３０の第２締結部４３５と結合する。第１締結部４１３はホールであってもよい。第１締結部４１３は第２締結部４３５とスクリュー（ｓｃｒｅｗ）（図示せず）によって結合されてもよい。
【００８４】
第１締結部４１３は第１及び第２点光源が配置されなかった領域に形成されてもよい。第１締結部４１３は複数個形成されてもよい。
【００８５】
第１導光板４２１は光源部４１０から見て第１方向Ｄ１の反対方向に配置される。第１導光板４２１は第１光源に対向して配置される。第１導光板４２１は第１光源の光を表示パネル１００に向かって導く。
【００８６】
第１導光板４２１は、第１高さＨ１を有する第１部分及び第１光源と隣接して第１高さＨ１より低い第２高さＨ２を有する第２部分を含む。
【００８７】
第１導光板４２１の第２部分は第１光源に近づくほど高さが徐々に低くなる傾斜部を含んでもよい。また、これとは異なり、第２部分は多様な形状を有してもよい。
【００８８】
第２導光板４２２は、第１導光板４２１と離隔されて配置される。第２導光板４２２は光源部４１０に対して第１方向Ｄ１に配置される。第２導光板４２２は第２光源に対向して配置される。第２導光板４２２は第２光源の光を表示パネル１００に向かって導く。
【００８９】
第２導光板４２２は、第１高さＨ１を有する第１部分及び第２光源と隣接して第１高さＨ１より低い第２高さＨ２を有する第２部分を含む。
【００９０】
第２導光板４２２の第２部分は第２光源に近づくほど高さが徐々に低くなる傾斜部を含んでもよい。これとは異なり、第２部分は多様な形状を有してもよい。
【００９１】
蓋部４３０は光源部４１０の上部に配置される。蓋部４３０は第１導光板４２１の一部とオーバーラップする部分及び第２導光板４２２の一部とオーバーラップする部分を含んでもよい。
【００９２】
蓋部４３０は上面、下面、及び上面と下面を接続する側面を含む。蓋部４３０の第１方向Ｄ１の断面は台形状を有してもよい。
【００９３】
蓋部４３０は第１導光板４２１の第２部分及び第２導光板４２２の第２部分によって形成された凹部（recess portion）に収納される。
【００９４】
蓋部４３０の上面の高さは第１及び第２導光板４２１、４２２の上面の高さの第１高さＨ１より低いか、または、同じである。従って、蓋部４３０の上面は第１及び第２導光板４２１、４２２の上面から突出しない。結果的に、蓋部４３０によってバックライトアセンブリ４００の厚さが増加しない。
【００９５】
蓋部４３０の上面の第１方向Ｄ１の幅Ｗは、第１導光板４２１の第１部分と第２部分との境界と、第２導光板４２２の第１部分と第２部分との境界との間の第１方向Ｄ１の距離より小さいか、または、同じである。例えば、蓋部４３０の上面の第１方向Ｄ１の幅Ｗは１０ｍｍ以上１００ｍｍ以下であってもよい。
【００９６】
蓋部４３０の側面は、第１導光板４２１の第２部分及び第２導光板４２２の第２部分に対応する形状を有する。蓋部４３０の第１側面は第１導光板４２１の傾斜部に対応する第１傾斜部を含んでもよい。蓋部４３０の第２側面は、第２導光板４２２の傾斜部に対応する第２傾斜部を含んでもよい。
【００９７】
蓋部４３０は、光源部４１０から上部方向に照射される光を第１及び第２導光板４２１、４２２の方向に拡散させる。すなわち、蓋部４３０は光源部４１０から上部方向に照射される光を拡散板３００の方向に拡散させることができる。従って、光源部４１０が配置された表示パネル１００の中心部が相対的に明るく視認されることを防止して表示パネル１００の輝度の均一性を向上させることができる。
【００９８】
蓋部４３０は、ポリカーボネート（ｐｏｌｙｃａｒｂｏｎａｔｅ；ＰＣ）及びポリメチルメタクリレート（ｐｏｌｙｍｅｔｈｙｌｍｅｔａｃｒｙｌａｔｅ；ＰＭＭＡ）のうちの１つ、または、これらの混合物を含んでもよい。蓋部４３０は光拡散材を含んでもよい。
【００９９】
蓋部４３０は、９０％以上のヘイズ（ｈａｚｅ）値を有してもよい。ヘイズ値は全入射光に対する散乱光の比率で決定される。蓋部４３０は９０％以下の光透過率を有してもよい。
【０１００】
図示していないが、蓋部４３０の表面は光散乱パターンを有してもよい。光散乱パターンは凹凸パターンであってもよい。凹凸パターンは、０.１μｍ以上１００μｍ以下の最大表面粗度（surface roughness）を有してもよい。
【０１０１】
蓋部４３０は、光源部４１０のプリント回路基板４１１に固定されてもよい。蓋部４３０は、光源部４１０の第１締結部４１３に対応する第２締結部４３５を含んでもよい。第２締結部４３５は、第１締結部４１３を向かって延びる突出部であってもよい。
【０１０２】
本実施形態によれば、光源部４１０は表示パネル１００の中心部に配置されるので表示装置のベゼル幅を大きく減少させることができ、表示装置の厚さを減少させることができる。
【０１０３】
また、光源部４１０の上部に光源部４１０の光を拡散させる蓋部４３０が配置されるので、光源部４１０と導光板４２０との間の光漏れを防止し、表示パネル１００の輝度均一性を向上させることができる。
【０１０４】
また、第１導光板４２１の上面の第２部分及び第２導光板４２２の上面の第２部分により凹部を形成し、蓋部４３０は凹部に収納されるので、蓋部４３０により表示装置の厚さを増加させないようにすることができる。
【０１０５】
図４は本発明の他の実施形態に係るバックライトアセンブリ４００Ａの分解斜視図である。図５は第１方向Ｄ１に沿って切断した図４のバックライトアセンブリ４００Ａの断面図である。
【０１０６】
本実施形態に係る表示装置はバックライトアセンブリがプリントシート（printed sheet）をさらに含むことを除いては、図１〜図３の表示装置と同一であるので、同じ構成要素に対しては同じ図面符号を使用し、繰り返される説明は省略する。
【０１０７】
図１、図４及び図５を参照すると、バックライトアセンブリ４００Ａは、光源部４１０、第１導光板４２１、第２導光板４２２、蓋部４３０、及びプリントシート４４０を含む。
【０１０８】
光源部４１０は、プリント回路基板４１１、複数の光源４１２、及び第１締結部４１３を含む。
【０１０９】
光源部４１０は第１光源及び第２光源を含む。第１光源は第１導光板４２１に隣接して配置される。第１光源は光を生成して第１導光板４２１に光を供給する。第２光源は第２導光板４２２に隣接して配置される。第２光源は光を生成して第２導光板４２２に光を供給する。
【０１１０】
第１導光板４２１は光源部４１０から見て第１方向Ｄ１の反対方向に配置される。第１導光板４２１は第１光源と向かい合うように配置される。第１導光板４２１は第１光源の光を表示パネル１００に向かって導く。
【０１１１】
第１導光板４２１の上面は第１高さＨ１を有する第１部分及び第１光源と隣接して第１高さＨ１より低い第２高さＨ２を有する第２部分を含む。
【０１１２】
第１導光板４２１の第２部分は第１光源に近づくほど高さが徐々に低くなる傾斜部を含んでもよい。
【０１１３】
第２導光板４２２は第１導光板４２１と離隔されて配置される。第２導光板４２２は光源部４１０に対して第１方向Ｄ１に配置される。第２導光板４２２は第２光源と向かい合うように配置される。第２導光板４２２は第２光源の光を表示パネル１００に向かって導く。
【０１１４】
第２導光板４２２の上面は第１高さＨ１を有する第１部分及び第２光源と隣接して第１高さＨ１より低い第２高さＨ２を有する第２部分を含む。
【０１１５】
第２導光板４２２の第２部分は第２光源に近づくほど高さが徐々に低くなる傾斜部を含んでもよい。
【０１１６】
蓋部４３０は光源部４１０の上部に配置される。蓋部４３０は、第１導光板４２１の一部とオーバーラップする部分及び第２導光板４２２の一部とオーバーラップする部分を含んでもよい。
【０１１７】
蓋部４３０は第１導光板４２１の第２部分及び第２導光板４２２の第２部分によって形成された凹部に収納される。
【０１１８】
蓋部４３０の側面は第１導光板４２１の第２部分及び第２導光板４２２の第２部分に対応する形状を有する。蓋部４３０の第１側面は第１導光板４２１の傾斜部に対応する第１傾斜部を含んでもよい。蓋部４３０の第２側面は第２導光板４２２の傾斜部に対応する第２傾斜部を含んでもよい。
【０１１９】
蓋部４３０は光源部４１０から上部方向に照射される光を第１及び第２導光板４２１、４２２の方向に拡散させる。すなわち、蓋部４３０は光源部４１０から上部方向に照射される光を拡散板３００方向に拡散させることができる。
【０１２０】
プリントシート４４０は、光源部４１０と蓋部４３０との間に配置される。プリントシート４４０は第１導光板４２１の一部とオーバーラップする部分及び第２導光板４２２の一部とオーバーラップする部分を含んでもよい。
【０１２１】
プリントシート４４０は、第１導光板４２１の第２部分及び第２導光板４２２の第２部分に対応する形状を有する。プリントシート４４０は、第１導光板４２１の傾斜部に対応する第１傾斜部及び第２導光板４２２の傾斜部に対応する第２傾斜部を含んでもよい。
【０１２２】
プリントシート４４０は光源部４１０の第１締結部４１３及び蓋部４３０の第２締結部４３５に対応する第３締結部４４５を含んでもよい。第３締結部はホールであってもよい。第３締結部は第１及び第２締結部４１３、４３５と、スクリュー（図示せず）によって結合されてもよい。
【０１２３】
プリントシート４４０は、接着剤を利用して第１及び第２導光板４２１、４２２に接着されてもよい。または、プリントシート４４０は接着剤を利用して蓋部４３０に接着されてもよい。
【０１２４】
プリントシート４４０は光源部４１０から蓋部４３０に伝達される光を反射及び吸収する。従って、光源部４１０が配置された表示パネル１００の中心部が相対的に明るく視認されることを防止して、表示パネル１００の輝度の均一性を向上させることができる。
【０１２５】
プリントシート４４０はフィルム及びフィルム上にプリントされたプリントパターンを含む。
【０１２６】
前記フィルムは、透明な物質を含んでもよい。フィルムは、ポリエチレンテレフタレート（ｐｏｌｙｅｔｈｙｌｅｎｅｔｅｒｅｐｈｔｈａｌａｔｅ；ＰＥＴ）、ポリカーボネート（ｐｏｌｙｃａｒｂｏｎａｔｅ；ＰＣ）、ポリアクリレート（ｐｏｌｙａｃｒｙｌａｔｅ）、ポリエチレンナフタレート（ｐｏｌｙｅｔｈｙｌｅｎｅｎａｐｈｔａｌａｔｅ；ＰＥＮ）、トリアセチルセルロース（ｔｒｉａｃｅｔｙｌｃｅｌｌｕｌｏｓｅ；ＴＡＣ）のうちいずれか１つ、または、これらの混合物を含んでもよい。フィルムの厚さは２５μｍ以上２５０μｍ以下であってもよい。
【０１２７】
プリントシート４４０のプリントパターンについては図６を参照して詳しく後述する。
【０１２８】
図６は図４のプリントシート４４０の一部分を示す平面図である。
【０１２９】
図４〜図６を参照すると、プリントシート４４０はフィルム及びフィルム上にプリントされたプリントパターンＰ１を含む。プリントパターンＰ１は光源部４１０から照射された光を反射及び吸収する。
【０１３０】
プリントパターンＰ１は、第１光源及び第２光源４１２と隣接した領域に集中的に形成されてもよい。図６に図示したように、プリントパターンＰ１は第１光源及び第２光源４１２から遠ざかるほど大きさが小さくなるように形成されてもよい。これとは異なり、プリントパターンＰ１は、一定の大きさを有するものの、第１光源及び第２光源から遠ざかるほど密度が減少するように形成してもよい。
【０１３１】
プリントパターンＰ１は半円形状でプリントされてもよい。プリントパターンＰ１は、白色、灰色、または黒色であってもよい。白色プリントパターンの反射率は、８０％以上１００％以下であってもよい。灰色プリントパターンの反射率は５％以上９０％以下であってもよい。黒色プリントパターンの反射率は５％以下であってもよい。
【０１３２】
プリントパターンＰ１はインクによって形成されてもよい。インクは、ポリアクリレート（ｐｏｌｙａｃｒｙｌａｔｅ）、ポリエステル（ｐｏｌｙｅｓｔｅｒ）、ポリカーボネート（ｐｏｌｙｃａｒｂｏｎａｔｅ；ＰＣ）、ポリオレフィン（ｐｏｌｙｏｌｅｆｉｎｅ）、エポキシ樹脂（ｅｐｏｘｙ  ｒｅｓｉｎ）、ポリウレタン（ｐｏｌｙｕｒｅｔｈａｎｅ）のうちのいずれか１つ、或いは、これらの混合物及び無機または有機顔料を含んでもよい。プリントパターンＰ１の厚さは２５μｍ以上２５０μｍ以下であってもよい。
【０１３３】
本実施形態によれば、光源部４１０は表示パネル１００の中心部に配置されるので表示装置のベゼル幅を大きく減少させることができ、表示装置の厚さを減少させることができる。
【０１３４】
また、光源部４１０の上部に光源部４１０の光を拡散させる蓋部４３０が配置されるので、光源部４１０と導光板４２０との間の光漏れを防止し、表示パネル１００の輝度均一性を向上させることができる。
【０１３５】
また、光源部４１０と蓋部４３０との間に光を反射及び吸収するプリントシート４４０が配置されるので、表示パネル１００の輝度均一性を向上させることができる。
【０１３６】
また、第１導光板４２１の上面の第２部分及び第２導光板４２２の上面の第２部分により凹部を形成し、蓋部４３０及びプリントシート４４０は凹部に収納されるので、蓋部４３０及びプリントシート４４０により表示装置の厚さを増加させないようにすることができる。
【０１３７】
図７は本発明のまた他の実施形態に係るプリントシート４４１の一部分を示す平面図である。
【０１３８】
本実施形態に係る表示装置はプリントシートのプリントパターンを除いては、図４〜図６の表示装置と同一であるので、同じ構成要素に対しては同じ図面符号を使って、繰り返される説明は省略する。
【０１３９】
図４、図５及び図７を参照すると、バックライトアセンブリ４００Ａは、光源部４１０、第１導光板４２１、第２導光板４２２、蓋部４３０及びプリントシート４４１を含む。
【０１４０】
プリントシート４４１は光源部４１０と蓋部４３０との間に配置される。プリントシート４４１は第１導光板４２１の一部とオーバーラップする部分及び第２導光板４２２の一部とオーバーラップする部分を含んでもよい。
【０１４１】
プリントシート４４１は光源部４１０から蓋部４３０に伝達される光を反射及び吸収する。従って、光源部４１０が配置された表示パネル１００の中心部が相対的に明るく視認されることを防止し、表示パネル１００の輝度均一性を向上させることができる。
【０１４２】
プリントシート４４１はフィルム及びフィルム上にプリントされたプリントパターンＰ１、Ｐ２を含む。プリントパターンＰ１、Ｐ２は、光源部４１０から照射された光を反射及び吸収する。
【０１４３】
プリントパターンＰ１、Ｐ２は、第１光源及び第２光源４１２と隣接した領域に集中的に形成されてもよい。図７に図示したように、プリントパターンＰ１、Ｐ２は、各々第１光源及び第２光源４１２から遠ざかるほど大きさが小さく形成されてもよい。これとは異なり、プリントパターンＰ１、Ｐ２は各々一定の大きさを有するものの、第１光源及び第２光源から遠ざかるほど密度が減少するように形成されてもよい。
【０１４４】
プリントパターンＰ１、Ｐ２は、第１光源及び第２光源４１２に隣接して形成された第１パターンＰ１及び第１光源及び第２光源４１２から第１パターンＰ１より遠く配置される第２パターンＰ２を含む。
【０１４５】
第１パターンＰ１は半円形状でプリントされてもよい。第２パターンＰ２は半円形状でプリントされてもよい。第２パターンＰ２は第１パターンＰ１が形成された領域において、第１パターンＰ１と重複してプリントされてもよい。
【０１４６】
第１パターンＰ１は第１明度を有し、第２パターンＰ２は第２明度を有してもよい。第１明度は第２明度より低くてもよい。例えば、第１パターンＰ１は灰色であってもよい。第２パターンＰ２は白色であってもよい。
【０１４７】
本実施形態によれば、光源部４１０は表示パネル１００の中心部に配置されるので表示装置のベゼル幅を大きく減少させることができ、表示装置の厚さを減少させることができる。
【０１４８】
また、光源部４１０の上部に光源部４１０の光を拡散させる蓋部４３０が配置されるので、光源部４１０と導光板４２０との間の光漏れを防止し、表示パネル１００の輝度均一性を向上させることができる。
【０１４９】
また、光源部４１０と蓋部４３０との間に光を反射及び吸収するプリントシート４４１が配置されるので、表示パネル１００の輝度均一性を向上させることができる。
【０１５０】
また、光源４１２に相対的に隣接した領域は光の輝度が相対的に明るいので、第１明度を有する第１パターンＰ１を利用して光を主に吸収し、光源４１２から相対的に離れた領域は光の輝度が相対的に暗いので第２明度を有する第２パターンＰ２を利用して光を主に反射することができる。これにより、表示パネル１００の輝度均一性をより一層向上させることができる。
【０１５１】
また、第１導光板４２１の上面の第２部分及び第２導光板４２２の上面の第２部分により凹部を形成し、蓋部４３０及びプリントシート４４１は、凹部に収納されるので、蓋部４３０及びプリントシート４４１により表示装置の厚さを増加させないようにすることができる。
【０１５２】
図８は本発明のまた他の実施形態に係るバックライトアセンブリ４００Ｂの分解斜視図である。図９は第１方向Ｄ１に沿って切断した図８のバックライトアセンブリ４００Ｂの断面図である。
【０１５３】
本実施形態に係る表示装置はバックライトアセンブリがプリントシートをさらに含むことを除いては、図１〜図３の表示装置と同一であるので、同じ構成要素に対しては同じ図面符号を使い、繰り返される説明は省略する。
【０１５４】
図１、図８及び図９を参照すると、バックライトアセンブリ４００Ｂは、光源部４１０、第１導光板４２１、第２導光板４２２、蓋部４３０及びプリントシート４５０を含む。
【０１５５】
光源部４１０は、プリント回路基板４１１、複数の光源４１２、及び第１締結部４１３を含む。
【０１５６】
光源部４１０は第１光源及び第２光源を含む。第１光源は第１導光板４２１と隣接して配置される。第１光源は光を生成して第１導光板４２１に光を供給する。第２光源は第２導光板４２２と隣接して配置される。第２光源は光を生成して第２導光板４２２に光を供給する。
【０１５７】
第１導光板４２１は光源部４１０から見て第１方向Ｄ１の反対方向に配置される。第１導光板４２１は第１光源と向かい合うように配置される。第１導光板４２１は第１光源の光を表示パネル１００に向かって導く。
【０１５８】
第１導光板４２１の上面は第１高さＨ１を有する第１部分及び第１光源と隣接して第１高さＨ１より低い第２高さＨ２を有する第２部分を含む。
【０１５９】
第２導光板４２２は第１導光板４２１と離隔して配置される。第２導光板４２２は光源部４１０から第１方向Ｄ１に配置される。第２導光板４２２は第２光源と向かい合うように配置される。第２導光板４２２は第２光源の光を表示パネル１００に向かって導く。
【０１６０】
第２導光板４２２の上面は第１高さＨ１を有する第１部分及び第２光源と隣接して第１高さＨ１より低い第２高さＨ２を有する第２部分を含む。
【０１６１】
蓋部４３０は、光源部４１０の上部に配置される。蓋部４３０は第１導光板４２１の一部とオーバーラップする部分及び第２導光板４２２の一部とオーバーラップする部分を含んでもよい。
【０１６２】
蓋部４３０は第１導光板４２１の第２部分及び第２導光板４２２の第２部分によって形成された凹部に収納される。
【０１６３】
蓋部４３０の側面は第１導光板４２１の第２部分及び第２導光板４２２の第２部分に対応する形状を有する。
【０１６４】
蓋部４３０は、光源部４１０から上部方向に照射される光を第１及び第２導光板４２１、４２２の方向に拡散させる。蓋部４３０は光源部４１０から上部方向に照射される光を拡散板３００方向に拡散させることができる。
【０１６５】
プリントシート４５０は蓋部４３０上に配置される。プリントシート４５０は、第１導光板４２１の一部とオーバーラップする部分及び第２導光板４２２の一部とオーバーラップする部分を含んでもよい。
【０１６６】
プリントシート４５０は接着剤を利用して第１及び第２導光板４２１、４２２に接着されてもよい。または、プリントシート４５０は接着剤を利用して蓋部４３０に接着されてもよい。または、プリントシート４５０は拡散板３００に接着されてもよい。
【０１６７】
プリントシート４５０は蓋部４３０を通過した光を反射及び吸収する。従って、光源部４１０が配置された表示パネル１００の中心部が相対的に明るく視認されることを防止し、表示パネル１００の輝度均一性を向上させることができる。
【０１６８】
プリントシート４５０は図６に図示されたプリントパターンＰ１または、図７に図示されたプリントパターンＰ１、Ｐ２と実質的に同じ形状のプリントパターンを有してもよい。
【０１６９】
図６に示したように、プリントシート４５０はフィルム及びフィルム上にプリントされたプリントパターンＰ１を含んでもよい。プリントパターンＰ１は蓋部４３０を通過した光を反射及び吸収する。
【０１７０】
プリントパターンＰ１は第１光源及び第２光源４１２と隣接した領域に集中的に形成されてもよい。図６に図示したように、プリントパターンＰ１は第１光源及び第２光源４１２から遠ざかるほど大きさが小さくなってもよい。これとは異なり、プリントパターンＰ１は一定の大きさを有するものの、第１光源及び第２光源から遠ざかるほど密度が減少するように形成されてもよい。
【０１７１】
図７に示したように、プリントシート４５０はフィルム及びフィルム上にプリントされたプリントパターンＰ１、Ｐ２を含んでもよい。プリントパターンＰ１、Ｐ２は蓋部４３０を通過した光を反射及び吸収する。
【０１７２】
プリントパターンＰ１、Ｐ２は第１光源及び第２光源４１２と隣接した領域に集中的に形成されてもよい。図７に図示したように、プリントパターンＰ１、Ｐ２は各々第１光源及び第２光源４１２から遠ざかるほど大きさが小さくなってもよい。これとは異なって、プリントパターンＰ１、Ｐ２は各々一定の大きさを有するものの、第１光源及び第２光源から遠ざかるほど密度が減少するように形成されてもよい。
【０１７３】
プリントパターンＰ１、Ｐ２は、第１光源及び第２光源４１２に隣接して形成された第１パターンＰ１、並びに、第１光源及び第２光源４１２から第１パターンＰ１より遠く配置された第２パターンＰ２を含む。
【０１７４】
第１パターンＰ１は、第１明度を有し、第２パターンＰ２は第２明度を有してもよい。第１明度は第２明度より低くてもよい。例えば、第１パターンＰ１は灰色であってもよい。第２パターンＰ２は白色であってもよい。
【０１７５】
本実施形態によれば、光源部４１０は表示パネル１００の中心部に配置されるので、表示装置のベゼル幅を大きく減少させることができ、表示装置の厚さを減少させることができる。
【０１７６】
また、光源部４１０の上部に光源部４１０の光を拡散させる蓋部４３０が配置されるので、光源部４１０と導光板４２０との間の光漏れを防止し、表示パネル１００の輝度均一性を向上させることができる。
【０１７７】
蓋部４３０上に光を反射及び吸収するプリントシート４５０が配置されるので、表示パネル１００の輝度均一性を向上させることができる。
【０１７８】
第１導光板４２１の上面の第２部分及び第２導光板４２２の上面の第２部分は凹部を形成し、蓋部４３０は凹部に収納されるので、蓋部４３０によって表示装置の厚さが増加しない。
【０１７９】
図１０は本発明のまた他の実施形態に係るバックライトアセンブリ４００Ｃの分解斜視図である。図１１は第１方向Ｄ１に沿って切断した図１０のバックライトアセンブリ４００Ｃの断面図である。
【０１８０】
本実施形態に係る表示装置はバックライトアセンブリが第１及び第２プリントシートをさらに含むことを除いては、図１〜図３の表示装置と同一であるので、同じ構成要素に対しては同じ図面符号を使って、繰り返される説明は省略する。
【０１８１】
図１、図１０及び図１１を参照すると、バックライトアセンブリ４００Ｃは、光源部４１０、第１導光板４２１、第２導光板４２２、蓋部４３０、第１プリントシート４４０、及び第２プリントシート４５０を含む。
【０１８２】
光源部４１０は、プリント回路基板４１１、複数の光源４１２、及び第１締結部４１３を含む。
【０１８３】
光源部４１０は第１光源及び第２光源を含む。第１光源は第１導光板４２１と隣接して配置される。第１光源は光を生成して第１導光板４２１に光を供給する。第２光源は第２導光板４２２と隣接して配置される。第２光源は光を生成して第２導光板４２２に光を供給する。
【０１８４】
第１導光板４２１は光源部４１０から見て第１方向Ｄ１の反対方向に配置される。第１導光板４２１は第１光源と向かい合うように配置される。第１導光板４２１は第１光源の光を表示パネル１００に向かって導く。
【０１８５】
第１導光板４２１の上面は、第１高さＨ１を有する第１部分及び第１光源と隣接して第１高さＨ１より低い第２高さＨ２を有する第２部分を含む。
【０１８６】
第２導光板４２２は第１導光板４２１と離隔して配置される。第２導光板４２２は光源部４１０から第１方向Ｄ１に配置される。第２導光板４２２は第２光源と向かい合うように配置される。第２導光板４２２は第２光源の光を表示パネル１００に向かって導く。
【０１８７】
第２導光板４２２の上面は第１高さＨ１を有する第１部分及び第２光源と隣接して第１高さＨ１より低い第２高さＨ２を有する第２部分を含む。
【０１８８】
蓋部４３０は光源部４１０の上部に配置される。蓋部４３０は第１導光板４２１の一部とオーバーラップする部分及び第２導光板４２２の一部とオーバーラップする部分を含んでもよい。
【０１８９】
蓋部４３０は第１導光板４２１の第２部分及び第２導光板４２２の第２部分によって形成された凹部に収納される。
【０１９０】
蓋部４３０の側面は第１導光板４２１の第２部分及び第２導光４２２の第２部分に対応する形状を有する。
【０１９１】
蓋部４３０は、光源部４１０から上部方向に照射される光を第１及び第２導光板４２１、４２２の方向に拡散させる。蓋部４３０は光源部４１０から上部方向に照射される光を拡散板３００方向に拡散させることができる。
【０１９２】
第１プリントシート４４０は、光源部４１０と蓋部４３０との間に配置される。第１プリントシート４４０は、第１導光板４２１の一部とオーバーラップする部分、及び、第２導光板４２２の一部とオーバーラップする部分を含んでもよい。
【０１９３】
第１プリントシート４４０は、第１導光板４２１の第２部分及び第２導光板４２２の第２部分に対応する形状を有する。
【０１９４】
第１プリントシート４４０は、光源部４１０から蓋部４３０に伝達される光を反射及び吸収する。従って、光源部４１０が配置された表示パネル１００の中心部が相対的に明るく視認されることを防止し、表示パネル１００の輝度均一性を向上させることができる。
【０１９５】
第１プリントシート４４０は、フィルム及びフィルム上にプリントされたプリントパターンを含む。第１プリントシート４４０は、図６に図示されたプリントパターンＰ１、または、図７に図示されたプリントパターンＰ１、Ｐ２と実質的に同じ形状のプリントパターンを有してもよい。
【０１９６】
第２プリントシート４５０は、蓋部４３０上に配置される。第２プリントシート４５０は第１導光板４２１の一部とオーバーラップする部分、及び、第２導光板４２２の一部とオーバーラップする部分を含んでもよい。
【０１９７】
第２プリントシート４５０は、蓋部４３０を通過した光を反射及び吸収する。従って、光源部４１０が配置された表示パネル１００の中心部が相対的に明るく視認されることを防止し、表示パネル１００の輝度均一性を向上させることができる。
【０１９８】
第２プリントシート４５０は、図６に図示されたプリントパターンＰ１、または、図７に図示されたプリントパターンＰ１、Ｐ２と実質的に同じ形状のプリントパターンを有してもよい。
【０１９９】
例えば、第１プリントシート４４０のプリントパターンは灰色パターン及び白色パターンを含み、第２プリントシート４５０のプリントパターンは白色パターンを含んでもよい。
【０２００】
本実施形態によれば、光源部４１０は表示パネル１００の中心部に配置されるので、表示装置のベゼル幅を大きく減少させることができ、表示装置の厚さを減少させることができる。
【０２０１】
光源部４１０の上部に光源部４１０の光を拡散させる蓋部４３０が配置されるので、光源部４１０と導光板４２０との間の光漏れを防止し、表示パネル１００の輝度均一性を向上させることができる。
【０２０２】
光源部４１０と蓋部４３０との間に光を反射及び吸収する第１プリントシート４４０、並びに、蓋部４３０上に光を反射及び吸収する第２プリントシート４５０が配置されるので、表示パネル１００の輝度均一性をより一層向上させることができる。
【０２０３】
第１導光板４２１の上面の第２部分及び第２導光板４２２の上面の第２部分は凹部を形成し、蓋部４３０及び第１プリントシート４４０は、凹部に収納されるので、蓋部４３０及び第１プリントシート４４０により表示装置の厚さが増加しない。
【０２０４】
図１２は本発明のまた他の実施形態に係るバックライトアセンブリ４００Ｄの分解斜視図である。図１３及び図１４は、第１方向Ｄ１に沿って切断した図１２のバックライトアセンブリ４００Ｄの断面図である。
【０２０５】
本実施形態に係る表示装置は、バックライトアセンブリ４００Ｄの光源部４１０を除いては、図１〜図３の表示装置と同一であるので、同じ構成要素に対しては同じ図面符号を使って、繰り返される説明は省略する。
【０２０６】
図１、図１２、図１３、及び図１４を参照すると、バックライトアセンブリ４００は光源部４１０Ａ、第１導光板４２１、第２導光板４２２、及び蓋部４３０を含む。
【０２０７】
光源部４１０Ａは、プリント回路基板４１１、複数の光源４１２及び第１締結部４１３を含む。
【０２０８】
プリント回路基板４１１には光源４１２が固定され、プリント回路基板４１１は光源４１２に駆動信号を伝達するための配線を含む。
【０２０９】
光源部４１０Ａは第１光源及び第２光源を含む。第１光源は第１導光板４２１と隣接して配置される。第１光源は光を生成して第１導光板４２１に光を供給する。第２光源は第２導光板４２２と隣接して配置される。第２光源は光を生成して第２導光板４２２に光を供給する。
【０２１０】
光源４１２は複数の列に配置される。例えば、光源４１２は２列に配置してもよい。光源４１２は第２方向Ｄ２に沿って複数の列に配置されてもよい。第１光源は第１列に配置されてもよく、第２光源は第１列と平行した第２列に配置してもよい。光源４１２はプリント回路基板４１１に対して垂直の方向に配置されてもよい。
【０２１１】
第１光源は複数の第１点光源を含んでもよい。第２光源は複数の第２点光源を含んでもよい。第１点光源及び第２点光源は、第２方向Ｄ２に沿って互い違いに（alternately）配置されてもよい。
【０２１２】
図１３は光源のうち第１点光源を含むバックライトアセンブリ４００Ｄを図示し、図１４は光源のうち第２点光源を含むバックライトアセンブリ４００Ｄを図示している。
【０２１３】
第１導光板４２１は光源部４１０Ａから見て第１方向Ｄ１の反対方向に配置される。第１導光板４２１は、第１光源と向かい合うように配置される。第１導光板４２１は、第１光源の光を表示パネル１００に向かって導く。
【０２１４】
第１導光板４２１の上面は第１高さＨ１を有する第１部分及び第１光源と隣接して第１高さＨ１より低い第２高さＨ２を有する第２部分を含む。
【０２１５】
第２導光板４２２は第１導光板４２１と離隔して配置される。第２導光板４２２は光源部４１０Ａから第１方向Ｄ１に配置される。第２導光板４２２は、第２光源と向かい合うように配置される。第２導光板４２２は第２光源の光を表示パネル１００に向かって導く。
【０２１６】
第２導光板４２２の上面は第１高さＨ１を有する第１部分及び第２光源と隣接して第１高さＨ１より低い第２高さＨ２を有する第２部分を含む。
【０２１７】
蓋部４３０は光源部４１０Ａの上部に配置される。蓋部４３０は、第１導光板４２１の一部とオーバーラップする部分及び第２導光板４２２の一部とオーバーラップする部分を含んでもよい。
【０２１８】
蓋部４３０は第１導光板４２１の第２部分及び第２導光板４２２の第２部分によって形成された凹部に収納される。
【０２１９】
蓋部４３０の上面の高さは、第１及び第２導光板４２１、４２２の上面の高さの第１高さＨ１より小さいか、または、同じである。従って、蓋部４３０の上面は第１及び第２導光板４２１、４２２の上面に比べて突出しない。結果的に、蓋部４３０によってバックライトアセンブリ４００Ｄの厚さが増加しない。
【０２２０】
蓋部４３０は光源部４１０Ａから上部方向に照射される光を第１及び第２導光板４２１、４２２の方向に拡散させる。蓋部４３０は光源部４１０Ａから上部方向に照射される光を拡散板３００方向に拡散させることができる。従って、光源部４１０Ａが配置された表示パネル１００の中心部が相対的に明るく視認されることを防止して、表示パネル１００の輝度均一性を向上させることができる。
【０２２１】
バックライトアセンブリ４００Ｄはプリントシート４４２をさらに含んでもよい。プリントシート４４２は図４に図示したように光源部４１０Ａと蓋部４３０との間に配置されてもよい。プリントシート４４２は図８に図示したように蓋部４３０上に配置してもよい。バックライトアセンブリ４００Ｄは、図１０に図示したように光源部４１０Ａと蓋部４３０との間に配置される第１プリントシート、及び、蓋部４３０上に配置される第２プリントシートを全部含んでもよい。
【０２２２】
図１５は図１２のバックライトアセンブリ４００Ｄに採用されるプリントシート４４２の一部分を示す平面図である。
【０２２３】
図１２〜図１５を参照すると、プリントシート４４２はフィルム及びフィルム上にプリントされたプリントパターンＰ１を含む。プリントパターンＰ１は、光源部４１０Ａから照射された光を反射及び吸収する。
【０２２４】
プリントパターンＰ１は第１光源及び第２光源４１２と対応する領域に形成されるので、第１光源に対応して形成されるプリントパターンＰ１のグループ及び第２光源に対応して形成されるプリントパターンＰ１のグループは第２方向Ｄ２に沿って互い違いに配置されてもよい。
【０２２５】
プリントパターンＰ１は第１光源及び第２光源４１２と隣接した領域に集中的に形成されてもよい。プリントパターンＰ１は第１光源及び第２光源４１２から遠ざかるほど大きさが小さくなってもよい。これとは異なり、プリントパターンＰ１は一定の大きさを有するものの、第１光源及び第２光源から遠ざかるほど密度が減少するように形成されてもよい。
【０２２６】
本実施形態によれば、光源部４１０Ａは表示パネル１００の中心部に配置されるので、表示装置のベゼル幅を大きく減少させることができ、表示装置の厚さを減少させることができる。
【０２２７】
第１点光源及び第２点光源は、互い違いに配置されて光源部４１０Ａの光が分散するので表示パネル１００の輝度均一性を向上させることができる。
【０２２８】
光源部４１０Ａの上部に光源部４１０Ａの光を拡散させる蓋部４３０が配置されるので、光源部４１０Ａと導光板４２０との間の光漏れを防止し、表示パネル１００の輝度均一性を向上させることができる。
【０２２９】
バックライトアセンブリ４００Ｄは光源部４１０Ａの光を反射及び吸収するプリントシート４４２を含むので、表示パネル１００の輝度均一性を向上させることができる。
【０２３０】
第１導光板４２１の上面の第２部分及び第２導光板４２２の上面の第２部分は凹部を形成し、蓋部４３０は凹部に収納されるので、蓋部４３０によって表示装置の厚さが増加しない。
【０２３１】
図１６は本発明のまた他の実施形態に係るプリントシート４４３の一部分を示す平面図である。
【０２３２】
本実施形態に係る表示装置はプリントシートのプリントパターンを除いては、図１２〜図１５の表示装置と同一であるので、同じ構成要素に対しては同じ図面符号を使って、繰り返される説明は省略する。
【０２３３】
図１２、図１３、図１４及び図１６を参照すると、バックライトアセンブリ４００Ｄは、光源部４１０Ａ、第１導光板４２１、第２導光板４２２及び蓋部４３０を含む。
【０２３４】
バックライトアセンブリ４００Ｄはプリントシート４４３をさらに含んでもよい。プリントシート４４３は図４に図示したように光源部４１０Ａと蓋部４３０との間に配置されてもよい。プリントシート４４３は図８に図示したように蓋部４３０上に配置されてもよい。バックライトアセンブリ４００Ｄは図１０に図示したように光源部４１０Ａと蓋部４３０との間に配置される第１プリントシート、並びに、蓋部４３０上に配置される第２プリントシートを全部含んでもよい。
【０２３５】
プリントシート４４３は、フィルム及びフィルム上にプリントされたプリントパターンＰ１、Ｐ２を含む。プリントパターンＰ１、Ｐ２は光源部４１０Ａから照射された光を反射及び吸収する。
【０２３６】
プリントパターンＰ１、Ｐ２は、第１光源及び第２光源４１２と対応する領域に形成されるので、第１光源に対応して形成されるプリントパターンＰ１、Ｐ２のグループ、並びに、第２光源に対応して形成されるプリントパターンＰ１、Ｐ２のグループは、第２方向Ｄ２に沿って互い違いに配置されてもよい。
【０２３７】
プリントパターンＰ１、Ｐ２は、第１光源及び第２光源４１２と隣接した領域に集中的に形成されてもよい。プリントパターンＰ１、Ｐ２は、各々第１光源及び第２光源４１２から遠ざかるほど大きさが小さくなってもよい。これとは異なり、プリントパターンＰ１、Ｐ２は、各々一定の大きさを有するものの、第１光源及び第２光源から遠ざかるほど密度が減少するように形成されてもよい。
【０２３８】
プリントパターンは第１光源及び第２光源４１２に隣接して形成された第１パターンＰ１及び第１光源及び第２光源４１２から第１パターンＰ１より遠く配置される第２パターンＰ２を含む。
【０２３９】
第１パターンＰ１は第１明度を有し、第２パターンＰ２は第２明度を有してもよい。第１明度は第２明度より低くてもよい。例えば、第１パターンＰ１は灰色であってもよい。第２パターンＰ２は白色であってもよい。
【０２４０】
本実施形態によれば、光源部４１０Ａは表示パネル１００の中心部に配置されるので表示装置のベゼル幅を大きく減少させることができ、表示装置の厚さを減少させることができる。
【０２４１】
また、第１光源の点光源及び第２光源の点光源は、互い違いに配置されて光源部４１０Ａの光が分散するので、表示パネル１００の輝度均一性を向上させることができる。
【０２４２】
光源部４１０Ａの上部に光源部４１０Ａの光を拡散させる蓋部４３０が配置されるので、光源部４１０Ａと導光板４２０との間の光漏れを防止し、表示パネル１００の輝度均一性を向上させることができる。
【０２４３】
バックライトアセンブリ４００Ｄは、光源部４１０Ａの光を反射及び吸収するプリントシート４４３を含むので、表示パネル１００の輝度均一性を向上させることができる。
【０２４４】
光源４１２に相対的に隣接した領域は光の輝度が相対的に明るいので、第１明度を有する第１パターンＰ１を利用して光を主に吸収し、光源４１２に相対的に離れた領域は光の輝度が相対的に暗いので、第２明度を有する第２パターンＰ２を利用して光を主に反射することができる。表示パネル１００の輝度均一性をより一層向上させることができる。
【０２４５】
第１導光板４２１の上面の第２部分及び第２導光板４２２の上面の第２部分は凹部を形成し、蓋部４３０は凹部に収納されるので、蓋部４３０によって表示装置の厚さが増加しない。
【０２４６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０２４７】
以上で説明したように、光源部を表示パネルの中心部に配置して表示装置のベゼル幅及び厚さを減少させることができる。
【０２４８】
また、光源部の上部に光源部の光を拡散させる蓋部を配置して光源部と導光板との間の光漏れを防止し、表示パネルの輝度均一性を向上させることができる。
【０２４９】
また、光源部の上部に光源部の光を反射及び吸収するプリントシートを配置して表示パネルの輝度均一性を向上させることができる。
【符号の説明】
【０２５０】
１００表示パネル
１１０第１基板
１２０第２基板
１３０ゲート駆動部
１４０データ駆動部
２００光学シート部
２１０高輝度偏光シート
２２０プリズムシート
２３０拡散シート
３００拡散板
４００、４００Ａ、４００Ｂ、４００Ｃ、４００Ｄバックライトアセンブリ
４１０、４１０Ａ    光源部
４２０導光板
４２１第１導光板
４２２第２導光板
４３０蓋部
４４０、４４１、４４２、４４３   第１プリントシート
４５０第２プリントシート
５００収納容器
５１０底板
５２０側壁部 
【図１】
2013041817.tif 000003
【図２】
2013041817.tif 000004
【図３】
2013041817.tif 000005
【図４】
2013041817.tif 000006
【図６】
2013041817.tif 000007
【図７】
2013041817.tif 000008
【図８】
2013041817.tif 000009
【図１０】
2013041817.tif 000010
【図１２】
2013041817.tif 000011
【図１３】
2013041817.tif 000012
【図１４】
2013041817.tif 000013
【図１５】
2013041817.tif 000014
【図１６】
2013041817.tif 000015
【図５】
2013041817.tif 000016
【図９】
2013041817.tif 000017
【図１１】
2013041817.tif 000018